(57)【要約】【課題】    短絡接地を行なう短絡接地器具において、従前の短絡接地器具を利用しながら、被挟持部材の各種形状に適合してそれぞれの被挟持部材を確実に挟持することができる短絡接地器具を提供する。【解決手段】    基端にグリップ２を、先端に挟持片３を備えた一対の把持体４を有し、それぞれを軸ヒンジ６を介して回動自在に取り付け、基端側に一対のグリップにより把持部７が構成され、先端側に一対の挟持片３により挟持部８が構成された短絡接地器具において、それぞれの挟持片３の先端に取付手段を介して補助金具１０を着脱自在に取付け、この一対の補助金具１０により挟持部８の先端に補助挟持部１２を構成する。この補助挟持部１２を構成する補助金具１０には、被挟持部材の形状に対応する挟持用溝１３又は１４が形成される。【選択図】        図１
2010146896.tif 000002
【特許請求の範囲】
【請求項１】
基端にグリップを、先端に挟持片を持つ一対の把持体が軸ヒンジを介して回動自在に取付けられ、基端側に前記一対のグリップより成る把持部が、先端側に前記一対の挟持片より成る挟持部がそれぞれ構成された短絡接地器具において、
前記一対の挟持片のそれぞれの先端に取付手段を介して補助金具を脱着自在に装着し、この一対の補助金具により前記挟持部の先端に複数の被挟持部材を選択的に挟持可能な補助挟持部を構成したことを特徴とする短絡接地器具。
【請求項２】
前記取付手段は、前記挟持部の先端に突設された取付ロッドと、この取付ロッドが挿入される前記補助金具に設けられたロッド取付孔と、前記挟持片の側面に形成された螺子孔と、前記補助金具の側面に形成されたボルト挿入孔と、このボルト挿入孔に側方から挿入して前記螺子孔に螺合させる取付ボルトとにより構成されることを特徴とする請求項１記載の短絡接地器具。
【請求項３】
前記補助金具には、これによって挟持される前記被挟持部材の断面形状に対応する挟持用溝が形成されていることを特徴とする請求項１記載の短絡接地器具。
【請求項４】
前記被挟持部材の断面形状に対応する挟持用溝として、ケーブルヘッド端子部及びケーブルヘッドリード線の断面形状に対応した平板状溝と、アース取付フックの断面形状に対応した円弧状溝とを有することを特徴とする請求項３記載の短絡接地器具。
【発明の詳細な説明】
【技術分野】
【０００１】
この発明は、電気工作物の工事、点検等を行なう際に、不意な充電（誤送電）や近接線路からの誘電電圧、電力ケーブル等の残留電荷等により感電する恐れを防止するために利用される短絡接地用の短絡接地器具に関する。
【背景技術】
【０００２】
不意な充電（誤送電）や、近接線路からの誘導電圧、電力ケーブル等の残留電荷等による感電の危険を防止するため、開路された電路に対して短絡接地器具を用いて確実に短絡接地する必要がある（労働安全衛生規則３３８条参照）。このため、スイッチギア（開閉装置）での作業においては、作業者の安全を確保するために接地端子を介してアースに接続する乙種アースを付けるが、従来、この乙種アースに用いられる短絡接地器具は、作業性等を考慮してクリップタイプのものが使用されている。
【０００３】
たとえば、特許文献１に示される短絡接地器具もそのような例であり、この短絡接地器具は、先端に設けられるワニ口部と、中程に設けられるヒンジ部と、基端に設けられる一対のグリップ（ハンドル２１，２２）からなる把持部とを備え、前記グリップに接地用の電線を接続し、把持部を握持して先端のワニ口部を開き、このワニ口部で必要とする接地箇所を挟むようにしている。
【特許文献１】実開平７−７０７６
【発明の開示】
【発明が解決しようとする課題】
【０００４】
しかしながら、スイッチギヤでの作業において上述した短絡接地器具を用いる場合には、作業スペースが狭いことに加え、ワニ口部の挟み幅が３０ｍｍ程度と少ないため、取付箇所によっては、作業中に腕等が接触して外れそうになったり、外れてしまう不具合が生じる。このため、短絡接地器具の改良が望まれていた。
【０００５】
また、スイッチギヤ内の乙種アースの取付箇所は、平板状のケーブルヘッド端子部、平状のケーブルヘッドリード線、丸棒状のアース取付用フック等の各所があり、取付箇所によって形状が異なるので、これらの全ての取付箇所に脱落することなく取り付けることが可能であり、さらには従前と同様の使い勝手を確保するために、従前の短絡接地器具としても使用することが可能な短絡接地器具であることが望ましい。
【０００６】
本発明は、係る事情に鑑みてなされたものであり、被挟持部材の各種形状に適合してそれぞれの被挟持部材を確実に挟持することができ、また、従前の短絡接地器具としても利用できる短絡接地器具を提供することを主たる課題としている。  
【課題を解決するための手段】
【０００７】
上記課題を達成するために、本発明に係る短絡接地器具は、基端にグリップを、先端に挟持片を持つ一対の把持体が軸ヒンジを介して回動自在に取付けられ、基端側に前記一対のグリップより成る把持部が、先端側に前記一対の挟持片より成る挟持部がそれぞれ構成され、前記一対の挟持片のそれぞれの先端に取付手段を介して補助金具を脱着自在に装着し、この一対の補助金具により前記挟持部の先端に複数の被挟持部材を選択的に挟持可能な補助挟持部を構成したことを特徴としている。
【０００８】
したがって、挟持部の先端に補助金具を取付けて補助挟持部を備えるようにしたので、前記補助金具によって挟持部分を広範囲に確保でき、各種被挟持部材を適切に挟持することが可能となり、短絡接地器具の脱落を確実に防止することが可能となる。また、補助挟持部を構成する補助金具を取り外せば従来通りの使用も可能となる。
【０００９】
前記取付手段は、前記挟持部の先端に突設された取付ロッドと、この取付ロッドが挿入される前記補助金具に設けられたロッド取付孔と、前記挟持片の側面に形成された螺子孔と、前記補助金具の側面に形成されたボルト挿入孔と、このボルト挿入孔に側方から挿入して前記螺子孔に螺合させる取付ボルトとより構成することが好ましい。
これにより、既設の挟持部の先端に突設された取付ロッドを、補助金具のロッド取付孔に挿入し、しかる後に、補助金具のボルト挿入孔に側方から取付ボルトを挿入して挟持片の螺子孔に螺合させることで、容易且つ確実に補助金具を挟持片に（補助挟持部を挟持部に）取付けることができる。
【００１０】
また、補助金具には、これによって挟持される被挟持部材の断面形状に対応する挟持用溝を有していることが好ましい。そのような挟持用溝としては、例えばスイッチギヤに用いる場合であれば、ケーブルヘッド端子部及びケーブルヘッドリード線の断面形状に対応した平板状溝や、アース取付フックの断面形状に対応した円弧状溝にするとよい。
これにより、被挟持部材の挟持状態をより安定させることができ、仮に短絡接地器具に腕等が当たっても、脱落しにくくなる。
【発明の効果】
【００１１】
以上のように、本発明によれば、挟持部の先端に補助挟持部を着脱自在に取付け、この補助挟持部によって各種被挟持部材を選択的に挟持できるようにしたので、補助挟持部を構成する補助金具により挟持部分を広範囲に確保でき、各種被挟持部材を適切に挟持することが可能となる。このため、短絡接地器具の脱落を確実に防止することが可能となる。また、補助挟持部を構成する補助金具を取り外せば、従前の短絡接地器具として従来通りの使用も可能となる。
【００１２】
請求項２の発明によれば、挟持片と取付金具との取付手段を、挟持部に突設された取付ロッドを補助金具のロッド取付孔内に挿入すると共に、補助金具のボルト挿入孔に取付ボルトを挿入して挟持片の螺子孔に螺合させる構成としたので、補助金具を挟持片に（補助挟持部を挟持部に）容易に着脱させることが可能となる。
【００１３】
請求項３及び４の発明によれば、補助挟持部を構成する補助金具に被挟持部材に対応する挟持用溝を設けるようにしたので、補助挟持部で被挟持部材をより確実且つ安定に挟持することができ、短絡接地器具に腕等が当たっても脱落しにくくなり、作業の安全性を向上させることが可能となる。
【発明を実施するための最良の形態】
【００１４】
以下この発明の実施例を図面にもとづいて説明する。
【００１５】
図１において、本発明に係る乙種アース用の短絡接地器具１が示されている。この短絡接地器具１は、基端にグリップ２を有すると共に先端に挟持片３を有する対をなす金属製の把持体４を備え、この一対の把持体４、４が軸ヒンジ６を介して回動可能に連結されている。前記軸ヒンジ６の廻りには、図示しないばねが設けられ、このばねにより、前記グリップ２、２を互に離反させる方向、即ち挟持片３、３を互いに近接させる方向に付勢している。前記一対のグリップ２、２により把持部７が、また、前記一対の挟持片３、３により挟持部８がそれぞれ構成されている。
【００１６】
そして、挟持部８の先端には、下記する補助金具１０、１０により構成された補助挟持部１２が取付手段を介して設けられている。なお１８は一方の把持体４に接続されたアース線である。
【００１７】
図２（ａ）（ｂ）に、補助挟持部１２を構成する補助金具１０を取り外した状態の短絡接地器具１が示され、また図３（ａ）、（ｂ）に、補助挟持部１２を構成する補助金具１０が示されている。
【００１８】
短絡接地器具１の一対の把持体４は、前述した如く、軸ヒンジ６を介して連結され、基端側に一対のグリップ２を備えると共に、先端側に一対の挟持片３を備えており、前記一対のグリップ２、２により把持部７が、また、前記一対の挟持片３、３により挟持部８がそれぞれ構成されているが、前記挟持片３は、把持体４と同方向に延設されると共に軸ヒンジ６の軸方向に沿って延設し、全体として略L形状に曲げられている。
【００１９】
それぞれの挟持片３の先端には、把持体４の延設方向、即ち、把持体４から遠ざかる方向に突設された取付ロッド２０、２０を有し、また、それぞれの挟持片３、３の側面３ａには、先端より少し後退した部位に軸ヒンジ６と略平行をなす螺子孔２１、２１が形成されている。
【００２０】
これに対して、補助挟持部１２を構成するそれぞれの補助金具１０には、その軸方向に形成されて前記取付ロッド２０を挿入可能とするロッド取付孔２３を有し、また、それぞれの補助金具１０の側面１０ａには、基端近くにおいて該補助金具の軸方向（延設方向）と略垂直をなすボルト挿入孔２５が形成されている。
【００２１】
したがって、補助金具１０のロッド取付孔２３に、挟持片３から突設された取付ロッド２０を挿入すると共に、螺子孔２１とボルト挿入孔２５との位置を整合させ、しかる後に取付ボルト２６をボルト挿入孔に側方から挿入させて螺子孔に螺合させることで、補助金具１０は挟持片３に取付けられ、この一対の補助金具１０によって挟持部８の先端に補助挟持部１２が構成される。
【００２２】
また、上述した挟持部の先端に突設された取付ロッドと、この取付ロッドが挿入される補助金具に設けられたロッド取付孔と、挟持片の側面に形成された螺子孔と、補助金具の側面に形成されたボルト挿入孔と、このボルト挿入孔に側方から挿入して螺子孔に螺合させる取付ボルトとより、挟持片の先端に補助金具を取り付ける取付手段が構成されている。
【００２３】
上述した補助挟持部１２を構成する補助金具１０には、形状の異なる挟持用溝１３、１４が形成され、それぞれの挟持用溝１３、１４によって形状の異なる挟持スペース１６、１７が形成されている。即ち、補助金具１０の先端側の互いに対峙した部位には、平板形状に対応する平板状溝が形成され、それぞれの平板状溝により断面矩形状の挟持スペース１６が形成されるようになっている。また、補助金具１０の基端側の互いに対峙した部位には、円弧形状に対応する円弧状溝が形成され、それぞれの円弧状溝により断面円状の挟持スペース１７が形成されるようになっている。
【００２４】
以上の構成に於いて、短絡接地器具１を、スイッチギヤ内のケーブルヘッド端子部やケーブルヘッドリード線に取り付ける場合にあっては、図４に示す二点鎖線のごとく、ケーブルヘッド端子部やケーブルヘッドリード線の扁平状部２８を一対の補助金具１０に形成された平板状溝からなる挟持用溝１３、１３で挟み込み、挟持スペース１６内に配置されるようにする。これにより、安定した挟持状態が確保され、仮に短絡接地器具１に腕等が当たったとしても、容易に脱落することがなくなる。
【００２５】
また、スイッチギヤ内のアース取付用フック２９に短絡接地器具１を取り付ける場合にあっては、図５に示すごとく、アース取付用フック２９を一対の円弧状溝からなる挟持用溝１４、１４で挟み込み、挟持スペース１７内に配置されるようにする。これにより、安定した挟持状態が確保され、仮に短絡接地器具１に腕等が当たったとしても、容易に脱落することがなくなるし、万が一、アース取付用フック２９が円弧状溝から外れても、挟持片の先端側には平板状溝からなる挟持用溝１３が形成されているので、この部分でアース取付用フック２９を受けることができ、短絡接地器具１がアース取付用フック２９から脱落することがない。
【００２６】
さらに、取付手段の一部を構成する取付ボルト２６を取り外し、補助金具１０を長手方向に引けば、補助金具１０を挟持片３から取り外すことができるので、図２に示す従来と同様の仕様を有する短絡接地器具１となり、それ自体で従来と同様の使用が可能となる。
【００２７】
尚、補助挟持部１２の取付手段としては、上述した実施例で示した構造が最も好ましいが、公知の構造を用いて変形するようにしても良い。また、補助挟持部１２を構成する補助金具１０に形成される挟持用溝１３は、被挟持部材（部位）の形状が異なれば、それに合わせて溝形状を変更して対応させればよいことは言うまでもない。
【図面の簡単な説明】
【００２８】
【図１】図１は、本発明に係る短絡接地器具の実施例を示す側面図である。
【図２】図２は、本発明に係る短絡接地器具において、先端に取付けられた補助挟持部を取り外した状態を示す図であり、（ａ）はその平面図、（ｂ）はその側面図である。
【図３】図３は、補助金具を示す図であり、（ａ）はその平面図、（ｂ）はその側面図である。
【図４】図４は、本発明に係る短絡接地器具を用いて、ケーブルヘッド端子部やケーブルヘッドリード線を挟持した状態を示す使用状態説明図である。
【図５】図５は、本発明に係る短絡接地器具を用いて、アース取付用フックを挟持した状態を示す使用状態説明図である。
【符号の説明】
【００２９】
１    短絡接地器具
２    グリップ
３    挟持片
４    挟持体
６    軸ヒンジ
７    把持部
８    挟持部
１０  補助金具
１２  補助挟持部
１３  挟持用溝
１４  挟持用溝
１６  挟持スペース
１７  挟持スペース
２０  取付ロッド
２１  螺子孔
２３  ロッド取付孔
２５  ボルト挿入孔
２６  取付ボルト
【図１】
2010146896.tif 000003
【図２】
2010146896.tif 000004
【図３】
2010146896.tif 000005
【図４】
2010146896.tif 000006
【図５】
2010146896.tif 000007